(57)【特許請求の範囲】
【請求項１】
撮影可能な突出位置と撮影不可能な収納位置との間を移動可能に設けられたレンズ鏡胴と、該レンズ鏡胴を移動させる鏡胴移動手段とを有するカメラにおいて、
撮影動作の開始を指示する操作部材の操作によって駆動されるシャッタの異常動作を判定する判定手段と、前記判定手段が前記シャッタの異常動作を判定したことに応答して警告表示を行う警告手段と、該判定手段が前記シャッタの異常動作を判定したことに応答して以降の撮影動作を禁止する禁止手段と、前記判定手段が前記シャッタの異常動作を判定したことに応答して計時を開始する計時手段と、該計時手段が所定時間を計時したときに前記鏡胴移動手段を駆動して前記レンズ鏡胴を前記突出位置から前記収納位置に移動させる鏡胴移動制御手段とを備えたことを特徴とするカメラ。
【請求項２】
発光可能な突出位置と発光不可能な収納位置との間を移動可能に設けられたストロボ発光部と、該ストロボ発光部を移動させる発光部移動手段とを有するカメラにおいて、
撮影動作の開始を指示する操作部材の操作によって駆動されるシャッタの異常動作を判定する判定手段と、前記判定手段が前記シャッタの異常動作を判定したことに応答して警告表示を行う警告手段と、該判定手段が前記シャッタの異常動作を判定したことに応答して以降の撮影動作を禁止する禁止手段と、前記判定手段が前記シャッタの異常動作を判定したことに応答して計時を開始する計時手段と、該計時手段が所定時間を計時したときに前記発光部移動手段を駆動して前記ストロボ発光部を前記突出位置から前記収納位置に移動させる発光部移動制御手段とを備えたことを特徴とするカメラ。
【請求項３】
撮影レンズの前方を開放した開放位置と撮影レンズの前面を被覆した閉鎖位置との間を移動可能に設けたレンズバリヤと、該バリヤを移動させるバリヤ移動手段とを有するカメラにおいて、
撮影動作の開始を指示する操作部材の操作によって駆動されるシャッタの異常動作を判定する判定手段と、前記判定手段が前記シャッタの異常動作を判定したことに応答して警告表示を行う警告手段と、該判定手段が前記シャッタの異常動作を判定したことに応答して以降の撮影動作を禁止する禁止手段と、前記判定手段が前記シャッタの異常動作を判定したことに応答して計時を開始する計時手段と、該計時手段が所定時間を計時したときに前記バリヤ移動手段を駆動して前記レンズバリヤを前記開放位置から前記閉鎖位置に移動させるバリヤ移動制御手段とを備えたことを特徴とするカメラ。
【発明の詳細な説明】
【０００１】
【発明の属する技術分野】
本発明はシャッタに異常が生じたとき、その異常を撮影者に不安を与えることなく認識させることができるカメラに関する。
【０００２】
【従来の技術】
シャッタに異常が生じたときに、撮影動作を禁止して自動的にレンズ鏡胴を収納位置に移動させたり、フィルムの巻き戻しを行わせたりするカメラが特開平１−２３９５２８号公報に開示されている。
【０００３】
また、撮影状態にした際に撮影レンズの前方に位置するバリヤを開放し、非撮影状態にした際に閉鎖するように電動で駆動するバリヤを有したカメラも知られている。このようなバリヤ付カメラにおいて、撮影動作中に異常が発生したとき、自動的にバリヤを閉鎖することで以降の撮影ができなくなるようにしたカメラも知られている。
【０００４】
また、カメラの異常が発生した際、以降の撮影動作を禁止して自動的にストロボを通常とは異なる発光、例えば間欠連続発光をさせることで、異常発生を操作者に認識させるカメラも知られている。
【０００５】
更に、シャッタの異常発生が複数回発生したときに、撮影動作を禁止して自動的にレンズ鏡胴を収納位置に移動させたり、フィルムの巻き戻しを行わせたりするカメラが特開平１−２０４０３５号公報に開示されている。
【０００６】
【発明が解決しようとする課題】
しかし、これらの従来技術に関しては、シャッタの異常と判断した後、直ちにレンズ鏡胴の収納動作、フィルムの巻き戻し動作、若しくはバリヤの閉じ動作といった通常の撮影時には動作しない、撮影者にとっては予測し得ない動作をカメラが行うことになり、撮影者に不安を与えてしまうという問題がある。更に、シャッタの異常が発生したときに、ストロボを通常と異なる間欠連続発光をさせて異常発生を促しても、特に最近は赤目軽減を目的として撮影前に発光させるプリ発光や、多重撮影と目的とした連続発光等のストロボ発光方式も用いられているので、このようなストロボ発光と混同する恐れがある。
【０００７】
また、シャッタの動作は極く短時間の間に行われる動作であるので、従来技術の如く直ちに巻き戻しやレンズ鏡胴の収納などの他の動作を行うと、その原因がシャッタであると判断し難くなる。その際、修理のために、カバ−を外したときにストロボユニットが露出し、感電等の思わぬ事故を生じる恐れがある。更に、シャッタが開放停止といった異常動作では、巻き戻しを行ってしまうと露光済みの写真が二重露光になってしまう恐れがある。
【０００８】
更に、特開平１−２０４０３５号公報に開示の技術によれば、プランジャの故障やフォトカプラの動作不良によりたまたま生じた第１回目のシャッタの異常の場合はその情報を撮影者には知らせずにそのまま通常の撮影動作を許可し、第２回目の撮影においてシャッタの異常を検出した場合に初めてシャッタの異常と判断し、その時点で撮影動作を禁止する構成であるため、貴重なシャッタチャンスの撮影をシャッタが異常の可能性の高い状態で撮影することになってしまう。
【０００９】
また、シャッタの異常を検知した後、直ちにレンズ鏡胴の収納動作やフィルムの巻き戻し動作という通常の撮影時には動作しない、撮影者にとっては予測できない動作をカメラが行ってしまうので、撮影者に不安を与えてしまうこととなる。
【００１０】
更に、シャッタに異常が発生した場合にサ−ビス部門に修理を依頼することが一般的で、この場合はカメラから装填中のフィルムを取出す必要がある。しかしこのままフィルム巻き戻しを自動で行った場合、二重露光を生じてしまう恐れがある。
【００１１】
本発明は以上の諸問題に鑑みてなされたものであり、操作者に不安を与えることなく、シャッタの異常を操作者に認識させた上で所定の動作を行わせることができるカメラを提供することを発明の目的とする。
【００２１】
【課題を解決するための手段】
上記目的は下記の何れかの手段により解決される。
（１）撮影可能な突出位置と撮影不可能な収納位置との間を移動可能に設けられたレンズ鏡胴と、該レンズ鏡胴を移動させる鏡胴移動手段とを有するカメラにおいて、撮影動作の開始を指示する操作部材の操作によって駆動されるシャッタの異常動作を判定する判定手段と、前記判定手段が前記シャッタの異常動作を判定したことに応答して警告表示を行う警告手段と、該判定手段が前記シャッタの異常動作を判定したことに応答して以降の撮影動作を禁止する禁止手段と、前記判定手段が前記シャッタの異常動作を判定したことに応答して計時を開始する計時手段と、該計時手段が所定時間を計時したときに前記鏡胴移動手段を駆動して前記レンズ鏡胴を前記突出位置から前記収納位置に移動させる鏡胴移動制御手段とを備えたことを特徴とするカメラ。
（２）発光可能な突出位置と発光不可能な収納位置との間を移動可能に設けられたストロボ発光部と、該ストロボ発光部を移動させる発光部移動手段とを有するカメラにおいて、撮影動作の開始を指示する操作部材の操作によって駆動されるシャッタの異常動作を判定する判定手段と、前記判定手段が前記シャッタの異常動作を判定したことに応答して警告表示を行う警告手段と、該判定手段が前記シャッタの異常動作を判定したことに応答して以降の撮影動作を禁止する禁止手段と、前記判定手段が前記シャッタの異常動作を判定したことに応答して計時を開始する計時手段と、該計時手段が所定時間を計時したときに前記発光部移動手段を駆動して前記ストロボ発光部を前記突出位置から前記収納位置に移動させる発光部移動制御手段とを備えたことを特徴とするカメラ。
（３）撮影レンズの前方を開放した開放位置と撮影レンズの前面を被覆した閉鎖位置との間を移動可能に設けたレンズバリヤと、該バリヤを移動させるバリヤ移動手段とを有するカメラにおいて、撮影動作の開始を指示する操作部材の操作によって駆動されるシャッタの異常動作を判定する判定手段と、前記判定手段が前記シャッタの異常動作を判定したことに応答して警告表示を行う警告手段と、該判定手段が前記シャッタの異常動作を判定したことに応答して以降の撮影動作を禁止する禁止手段と、前記判定手段が前記シャッタの異常動作を判定したことに応答して計時を開始する計時手段と、該計時手段が所定時間を計時したときに前記バリヤ移動手段を駆動して前記レンズバリヤを前記開放位置から前記閉鎖位置に移動させるバリヤ移動制御手段とを備えたことを特徴とするカメラ。
【００４６】
【発明の実施の形態】
本発明のカメラにおける実施の形態を図を参照して詳細に説明する。
【００４７】
先ず、カメラの一実施の形態を図１乃至図５を参照して説明する。図１はカメラの上面図、図２はカメラの正面図、図３はカメラの右側面図、図４はストロボ発光部が突出した状態のカメラの正面図、図５はストロボ発光部が突出した状態のカメラの右側面図である。
【００４８】
本カメラはＩＸ２４０フィルム（ＡＰＳフィルム）を用いるカメラである。撮影レンズは非撮影時にはカメラ本体内に収納され、撮影時には突出する。また、撮影レンズの前方にて開閉するバリヤが設けられ、撮影レンズが収納されたときはバリヤが閉鎖され、撮影レンズが突出したときはバリヤが開放する。更に、リトラクタブルタイプのストロボ発光部を内蔵しており、撮影レンズの移動と連動して、ストロボ発光部が非撮影時にはカメラ本体内に収納され、撮影時には突出する。
【００４９】
本カメラは非撮影時には図１乃至図３の如き状態であるが、図１に示すメインスイッチ釦１を押すと、各回路に電源が供給されて図４及び図５の如く、図２に示すバリヤ２が開放し、撮影レンズＬを保持する鏡胴３が突出して撮影状態になる。また、鏡胴３の突出に連動してストロボの発光枠４が回動し、内部の発光部５が突出する。
【００５０】
なお、各図に示した外観部品の中で主要部品としては、１１はレリーズ釦、１２は液晶パネルからなり、撮影駒数や撮影モードを表示すると共に、後述するようにシャッタに異常が生じたときにその異常を警告表示する表示板（請求項２２における警告手段）、１３はズーミング操作を行うズームレバー、１４は撮影モード切替ダイヤル、１５はファインダ窓、１６は測距や測光を行う素子を被覆したパネルである。
【００５１】
次に、本カメラの回路構成のブロック図を図６に基づいて説明する。
【００５２】
制御回路２１は各回路を後述するフローチャートの如く制御する回路であり、全ての回路に対して出力若しくは入力を行う。そして、シャッタを異常と判定したときは後述する各モータの駆動制御を行う。２２は被写体距離を測定する測距回路、２３は被写体輝度を測光する測光回路、２４は測光回路２２の測光値に基づいてシャッタの露光時間を演算する露光時間演算回路である。２５はシャッタにエラー、即ち異常が生じたときにエラーフラグをセットするメモリ、監視タイマ２６は所定の時間内におけるシャッタの動作を監視するために、その所定の時間をカウントするタイマ、警告表示部２７は表示板１２に相当し、シャッタ異常が生じたときに警告表示する。
【００５３】
Ｍ−ＳＷはメインスイッチ釦１の操作によってオンになり、全ての回路に電源を供給するスイッチ、Ｓ１−ＳＷはレリーズ釦１１の第１段の押圧によってオンになるスイッチ、Ｓ２−ＳＷはレリーズ釦１１の第２段の押圧によってオンになるスイッチである。
【００５４】
２８は電池電圧を３００Ｖ程度に昇圧するストロボの昇圧回路、２９はストロボを発光させる発光回路、３０はメインコンデンサの電荷を放電させる放電回路である。
【００５５】
磁気書込回路３１は磁気ヘッド３２によりフィルムの磁気層に所定の情報を磁気記録する。フィルムモータ回路３３はフィルム駆動モータ３４を駆動してフィルム巻き上げ、フィルム巻き戻しを行う。バリヤ駆動回路３５はバリヤ駆動モータ３６を駆動してバリヤの開閉を行う。鏡胴駆動回路３７は鏡胴駆動モータ３８を駆動してレンズ鏡胴を撮影時には突出させ、非撮影時には収納させる。発光部駆動回路３９は発光部駆動モータ４０を駆動してストロボの発光部４をストロボ撮影時には突出させ、非ストロボ撮影時には収納させる。シャッタ駆動回路４１はシャッタ駆動モータ４２の正転・逆転により後述するシャッタを開放動作と閉鎖動作とを行なわさせる。
【００５６】
４３はフォトインタラプタであり、シャッタの動作状態検出回路４４を介してＨレベル若しくはＬレベルの信号を出力する。
【００５７】
なお、本発明における鏡胴移動手段は鏡胴駆動モータ３８、鏡胴移動制御手段は鏡胴駆動回路３７と制御回路２１に相当する。発光部移動手段は発光部駆動モータ４０、発光部移動制御手段は発光部駆動回路３９と制御回路２１に相当する。バリヤ移動手段はバリヤ駆動モータ３６、バリヤ移動制御手段はバリヤ駆動回路３５と制御回路２１に相当する。
【００５８】
次に、シャッタが異常動作をしたときに対処する二つの実施の形態をフローチャートに従って説明する。
【００５９】
〔第１の実施の形態〕
第１の実施の形態を図７乃至図１３に基づいて説明する。
【００６０】
図７は撮影準備からレリーズ釦の第１段のスイッチの押圧までのフローチャートである。同フローチャートにおいて、前述のメインスイッチ釦１を押してメインスイッチＭ−ＳＷをオンすると（１０１のＯＮ）、シャッタ異常を示すエラーフラグの有無をエラーフラグメモリ２５より検出し（１０２）、エラーフラグを検出すれば（１０２のＹ）、表示板１２にシャッタ異常があることを示す警告表示を行って（１０３）、終了する。
【００６１】
なお、エラーフラグはＥ2ＰＲＯＭ等の不揮発性メモリに記憶されれば仮に電池が抜脱されてもフラグの内容が記憶されるので、サービス部門等でカメラの修理を行う場合にそのエラーフラグを参照してシャッタの異常を確認することができる。
【００６２】
エラーフラグを検出しなければ（１０２のＮ）、バリヤ２を閉鎖状態から開放し（１０４）、続いて撮影レンズＬを保持する鏡胴３を撮影位置まで繰り出す（１０５）。なお、撮影レンズＬがズームレンズのときは、撮影可能な最も広角の位置まで繰り出し、その後はズームレバー１３を適宜操作してズーミングすればよい。また、鏡胴３の繰り出しに連動してストロボの発光部５が突出する（１０６）。そして、ストロボ昇圧回路２８によりメインコンデンサに充電を行う（１０７）。
【００６３】
なお、ストロボ昇圧回路２８はメインコンデンサへの充電が完了すると充電動作を停止するように構成されている。
【００６４】
これで撮影可能な状態になったので、被写体にカメラを向けてレリーズ釦１１（本発明における撮影動作の開始を指示する操作部材）を押すことになるが、レリーズ釦１１の第１段の押圧でＳ１−ＳＷがオンになると（１１１のＯＮ）、測距回路２２にて自動焦点合わせのために被写体の距離を測定し（１１２）、同時に測光回路２３にて被写体の輝度の測定、即ち測光を行う（１１３）。そして、露光時間演算回路２４にて測光値に応じたシャッタの露光時間を演算する（１１４）。
【００６５】
ここで、本発明に用いるシャッタを図８に基づいて説明する。図８はシャッタの正面図である。
【００６６】
本シャッタはレンズシャッタであり、シャッタ羽根５１とシャッタ羽根５２との２枚のシャッタ羽根から構成されている。なお、シャッタ羽根とは別に絞り羽根を設けてもよいし、シャッタ羽根と絞り羽根とを兼用にしてもよい。そして、シャッタ羽根５１は支軸５３を中心に往復回動し、シャッタ羽根５２は支軸５４を中心に往復回動する。支軸５３と支軸５４とから等距離の位置にはシャッタ駆動ピン５５が配置され、シャッタ羽根５１の長孔５１ａと、シャッタ羽根５２の長孔５２ａとに同時に貫通している。なお、図８の状態はシャッタ羽根５１とシャッタ羽根５２とにより開口部５６を閉鎖してフィルムに対して外光を遮蔽した状態である。
【００６７】
次に、シャッタ駆動モータ４２を駆動すると、シャッタ駆動ピン５５は支軸５３と支軸５４とを結ぶ直線に対して直交する方向に往復移動する。シャッタ駆動ピン５５が図の下方に移動したときは、シャッタ羽根５１が時計方向に回動すると共にし、シャッタ羽根５２が反時計方向に回動して開口部５６を開放する。続いて、シャッタ駆動モータ４２を逆転すると、シャッタ羽根５１とシャッタ羽根５２は逆方向に回動し、開口部５６を閉鎖する。
【００６８】
従って、シャッタの開口特性は周知の如く、開口部５６を完全に開放する前に閉鎖すれば三角形となり、開口部５６を開放した後に閉鎖すれば台形となる。
【００６９】
また、シャッタ羽根５１の先端部５１ｂが回動する領域には、発光ダイオードと受光トランジスタから構成されるフォトインタラプタ４３が配置されている。そして、フォトインタラプタ４３の信号は動作状態検出回路４４からＰＩ信号として制御回路２１へ出力される。シャッタが駆動される前は、発光ダイオードから受光トランジスタへの光路を遮るものはないので、ＰＩ信号はＬレベルであるが、シャッタが駆動され、開口部５６が開放され始めると同時にシャッタ羽根５１の先端部５１ｂにより発光ダイオードから受光トランジスタへの光路を遮るので、ＰＩ信号はＨレベルとなる。
【００７０】
そして、ＰＩ信号がＨレベルである時間を計測すれば、シャッタの露光時間に相当する。従って、シャッタが正常に作動していれば、ＰＩ信号がＨレベルである時間は測光値を露光時間演算回路２４が演算した露光時間に略等しい値となる。従って、ＰＩ信号がＨレベルである時間が測光値から演算された露光時間と大きく相違するようであれば、シャッタに何らかの異常が生じたことが判る。
【００７１】
続いて、レリーズ釦の第２段のスイッチの押圧以降を示すフローチャートを図９により説明する。
【００７２】
レリーズ釦を押圧して第２段のスイッチであるＳ２−ＳＷがオンすると（１２１）、制御回路２１がＳ２−ＳＷのオンを検知する。そして、制御回路２１は測光結果に基づいてシャッタに所定の露光時間の開口動作を行わせるためにシャッタ駆動回路４１へ開信号を出力し、これによりシャッタ駆動モータ４２が駆動するので、シャッタ羽根５１，５２が回動し、シャッタは開動作を開始する（１２２）。そして、シャッタ羽根５１の開動作を開始してからの所定の監視時間を監視タイマ２６がカウントし、制御回路２１へ出力する。（１２３）。
【００７３】
続いて、シャッタ羽根５１がフォトインタラプタ４３の光路を確実に遮蔽しているか否かをＰＩ信号により確認する（１２４）。シャッタ駆動モータ４２の駆動開始からフォトインタラプタ４３がＨレベルのＰＩ信号を出力するまでの時間はシャッタ毎にバラツクが、想定される最大時間より若干長い時間を監視タイマ２６がカウントした後に、制御回路２１に入力したＰＩ信号がＨレベルであれば（１２４のＹ）、シャッタ羽根５１，５２は正常に開放動作し、被写体光がフィルム面に到達し始めていることになる。また、ＰＩ信号がＨレベルでなく、Ｌレベルであれば（１２４のＮ）、シャッタ駆動モータ４２の作動不良や、静電気や油等の原因によってシャッタ羽根５１，５２が開放せず閉鎖したままであるので、制御回路２１はシャッタの異常と判定し、以降の撮影動作を禁止してエラー処理Ａの制御を行う。なお、撮影動作とはフィルム巻き上げと磁気記録等の１駒撮影に必要な一連の動作をいう。
【００７４】
ＰＩ信号がＨレベルになると（１２４のＹ）、ＰＩ信号がＨレベルになってからの時間を監視タイマ２６がカウント開始する（１２５）。そして、所定の露光時間を経過した後（１２６）、制御回路２１はシャッタ駆動回路４１にシャッタ閉信号を出力するので、シャッタ駆動モータ４２の逆転によりシャッタ羽根５１，５２は閉動作を開始する（１２７）。同時に、シャッタ駆動モータ４２の逆転開始からの所定の時間を監視タイマ２６がカウントして制御回路２１へ出力する（１２８）。
【００７５】
続いて、シャッタ羽根５１，５２が確実に閉鎖しているか否かをＰＩ信号により確認する（１２９）。シャッタ駆動モータ４２の逆転開始からフォトインタラプタ４３からＬレベルのＰＩ信号を出力するまでの時間はシャッタ毎にバラツクが、想定される最大時間より若干長い時間を監視タイマ２６がカウントした後に、制御回路２１が入力したＰＩ信号がＬレベルであれば（１２９のＹ）、シャッタは正常に閉鎖動作を行って、被写体光をフィルム面に対して遮光した位置までシャッタ羽根５１，５２が動作したことになる。しかし、ＰＩ信号がＨレベルであれば（１２９のＮ）、シャッタ駆動モータ４２の動作不良やシャッタ羽根５１，５２の作動不良によってシャッタ羽根５１，５２が閉鎖せず途中で開口したままの状態になった異常と判定し、以降の撮影動作を禁止してエラー処理Ａの制御を行う。
【００７６】
続いて、シャッタが正常に作動しているときの制御を続ける。ＰＩ信号がＬレベルになれば（１２９のＹ）、制御回路２１は監視タイマ２６にＰＩ信号がＨレベルになってからの時間のカウント動作を停止させ、シャッタ実動作時間を得る（１３０）。
【００７７】
この結果、得られたシャッタ実動作時間と測光結果により得られた所定の露光時間とを比較し、例えば所定の露光時間に対してシャッタ実動作時間が３０％以内であるか否かを判定する。３０％以内とは、フィルムや印画紙のラチチュードにより見た目に問題ない露出の写真が仕上がる程度である。従って、３０％以内であれば、正常な露光動作が行われたと判定し（１３１のＹ）、次のステップに移行する。また、所定の露光時間に対してシャッタ実動作時間が３０％以上であれば、制御回路２１は露光時間が異常であると判定し、以降の撮影動作を禁止してエラー処理Ｂの制御を行う。
【００７８】
正常な露光動作が行われたと判定したときは（１３１のＹ）、次駒へのフィルム巻き上げを開始する（１３２）。そして、フィルム巻き上げに連動して磁気ヘッドを介してフィルム裏面の磁気層に磁気記録し（１３３）、一連の撮影動作を終了する。
【００７９】
ここで、図１０にフィルムと磁気ヘッドの図を示す。同図はフィルムのベース面から見た図であるが、ＩＸ２４０であるフィルムＦにおいてＦａは露光画面、Ｆｐはパーフォレーションであって、磁気層、即ち磁気トラックは４本あるが、カメラにおいては最下端の磁気トラックＦｍを用いる。６１は磁気ヘッドであり、撮影により露光画面Ｆａが形成された後に、フィルムＦが図の左方に巻き上げられると、磁気ヘッド６１により磁気トラックＦｍに磁気記録される。磁気記録される内容は、デート、プリントタイプ、カートリッジ装填方向、フラッシュ使用、被写体輝度、タイトル等である。
【００８０】
次に、エラー処理Ａについて図１１のフローチャートに基づいて説明する。
【００８１】
エラー処理Ａはシャッタ羽根の開放若しくは閉鎖時の作動不良に関するものであり、シャッタ異常と判定したときは、昇圧回路２８の作動を含む１駒の撮影に必要な一連の以降の撮影動作を禁止するように制御するものである。
【００８２】
従って、制御回路２１は先ずエラーフラグメモリ２５にエラーフラグをセットする（１４１）。次に、表示板１２に異常を示す警告表示を行う（１４２）。なお、この表示としては、液晶の表示セグメントを全て点灯させたり、特定のセグメントを点滅させたりしてもよい。続いて、制御回路２１は巻き戻し信号の受付を禁止する（１４３）。これは、シャッタ羽根が開放状態で停止したままの故障が考えられるので、フィルム取り出しのために自動や手動によって巻き戻しが開始されると、既に露光された駒が二重露光されることになるからである。
【００８３】
その後、監視タイマ２６（本発明における計時手段）によるカウントのスタート、即ち計時を開始する（１４４）。その計時の間に、レリーズ釦の第１段のスイッチであるＳ１−ＳＷやメイン−ＳＷ等からなる外部入力を持つ外部スイッチが操作されたか否かを判定する（１４５）。
【００８４】
なお、外部スイッチとしてはＳ１−ＳＷやメイン−ＳＷに限定されるものではなく、例えば、フィルムの巻き戻し動作を開始させるリワインドスイッチ、セルフタイマを作動させるセルフタイマスイッチ、ストロボの強制発光やストロボの自動発光停止や赤目低減モード等の特殊な撮影モードが選択可能な撮影モードスイッチ、又は日付情報を設定記録するデートスイッチ等を用いてもよく、要は、操作者が容易に操作可能にカメラ外部に備え付けられているスイッチであればどのようなスイッチであってもよい。
【００８５】
外部スイッチが操作されていれば（１４５のＹ）、次のステップに移行する。外部スイッチが操作されていなくても（１４５のＮ）、監視タイマ２６がカウントした撮影者が異常と認識できる所定の計時時間を経過していれば（１４６のＹ）、同様に次のステップに移行する。所定の計時時間を経過していなければ、外部スイッチ操作（１４５）の前に戻る。なお、所定の計時時間とは例えば２０秒である。
【００８６】
続いて、ストロボ発光を行うが（１４７）、このストロボ発光により撮影者は更に異常を認識できるようになる。
【００８７】
その後、ストロボの放電回路によりメインコンデンサの放電を行う（１４８）。これは、ストロボ発光によりメインコンデンサは放電されるが、完全に放電される訳ではなく、１００Ｖ前後の電圧は残っていて感電の危険性があるからである。従って、シャッタの修理時に感電事故を起こさないように予めメインコンデンサを完全に放電させるものである。
【００８８】
なお、昇圧回路２８の作動は禁止されているので、これ以降にメインコンデンサが充電されることはない。
【００８９】
この放電回路を有するストロボの回路図を図１２に示す。図１２において、電池Ｂの電源電圧は昇圧回路により昇圧されてメインコンデンサＣに電荷が蓄積される。ストロボを発光させるときはシャッタと同期して制御回路２１からａ端子に電圧を印加すると、サイリスタＳがオン状態となるので、トリガーコイルＴＣよりキセノン管Ｘｅに高圧のパルスを与えて励起状態とし、メインコンデンサＣの電荷によりキセノン管Ｘｅを発光させる。
【００９０】
ストロボ発光後にメインコンデンサＣに残った電荷を放電させるためには、制御回路２１からスイッチング素子Ｔをオンさせるショート信号をｂ端子に出力すると、メインコンデンサＣの残りの電荷は定格電力の大きな抵抗Ｒを通して放電される。従って、修理の際に予期せぬ感電事故が防止される。
【００９１】
なお、このような大電流を制御する場合、スイッチング素子Ｔは例えば高電流スイッチング素子であるＩＧＰＴやＦＥＴが好適である。
【００９２】
再び、図１１のフローチャートに戻り、ストロボの発光部５を収納し（１４９）、撮影レンズＬを保持する鏡胴３を本体内に収納して（１５０）、バリヤ２を閉鎖して（１５１）終了する。
【００９３】
なお、ストロボ発光（１４７）、メインコンデンサの放電（１４８）、ストロボ発光部の収納（１４９）、鏡胴の収納（１５０）、バリヤの閉鎖（１５１）の全てを行う必要はなく、少なくとも何れか一つを行えば撮影者はシャッタ異常と判断できる。なお、ストロボ発光のみを行うときは、外部スイッチ操作としてレリーズ操作を除く方がシャッタ異常の判断のために好ましい。
【００９４】
次に、エラー処理Ｂについて図１３のフローチャートに基づいて説明する。
【００９５】
エラー処理Ｂはシャッタ羽根の作動不安定等による露光時間の異常についての処理に関するものである。
【００９６】
従って、制御回路２１は先ずエラーフラグメモリ２５にエラーフラグをセットする（１６１）。次に、フィルム巻き上げ（１６２）と磁気書き込み（１６３）を行う。これは、エラー処理Ａと異なり、エラー処理Ｂにおいてはシャッタ羽根が開口状態で停止した故障ではないので、二重露光の恐れがないためである。また、このフィルムを別のカメラに装填して残りの撮影駒を撮影する場合を考慮すると、磁気記録する必要があるからである。
【００９７】
以下、エラー警告表示開始（１６４）からバリヤ閉（１７２）までのフローは前述のエラー処理Ａと同一なので説明を省略する。
【００９８】
その後、フィルムをカートリッジに巻き戻すが（１７３）、最終駒の撮影が終了しているのなら（１７４のＹ）、撮影済みを表す×印の表示をカートリッジに行い（１７５）、途中の駒で巻き戻すのなら（１７４のＮ）、途中巻き戻しを表す半円形の表示をカートリッジに行って（１７６）、終了する。
【００９９】
〔第２の実施の形態〕
第２の実施の形態を図１４乃至図１８に基づいて説明する。
【０１００】
撮影準備からレリーズ釦の第１段の押圧までのフローは第１の実施の形態において図７に示したフローと同一であるので、省略する。続いて、レリーズ釦の第２段にあるＳ２−ＳＷをオンした後のフローチャートを図１４に示すが、Ｓ２−ＳＷをオンしたとき（２２１）からフィルムへの磁気書き込み（２３３）までのフローにおいて、Ｐ１信号がＨレベルでないとき（２２４のＮ）と、Ｐ１信号がＬレベルでないとき（２２９のＮ）と、露光時間が正常でないとき（２３１のＮ）に、エラー処理Ｃを行う点が図９に示したフローと相違するだけであり、他は同一であるので、説明を省略する。従って、エラー処理Ｃから図１５に基づいて説明を始める。
【０１０１】
先ず、エラーフラグメモリ２５にてエラーフラグをセットし（２４１）、表示部１２にシャッタの異常を示す警告表示を開始する（２４２）。続いて、レリーズ釦１１を押して第１段のスイッチであるＳ１−ＳＷ（請求項１７，１９〜２１におけるカメラ操作部材）がオンであれば（２４３のＯＮ）、制御回路２１がＳ１−ＳＷのオンを検知する。これによって直ちにシャッタが開動作し（２４４）、シャッタ羽根５１が開動作を開始してからの所定の監視時間を監視タイマ２６がカウントし（２４５）、所定の監視時間内にＰＩ信号がＨレベルになったか否かを確認する（２４６）。また、ＰＩ信号がＨレベルレベルになってからの時間を監視タイマ２６がカウント開始し（２４７）、所定の露光時間を経過した後（２４８）、シャッタ羽根が閉動作する（２４９）。シャッタ羽根５１が閉動作を開始してからの所定の監視時間を監視タイマ２６がカウントし（２５０）、所定の監視時間内にＰＩ信号がＬレベルになったか否かを確認する（２５１）。続いて、監視タイマ２６によるＰＩ信号がＨレベルになってからの時間をカウントを終了し（２５２）、得られたシャッタ実動作時間と測光結果により得られた露光時間とを比較して露光時間が正常であるか否かを確認する（２５３）。
【０１０２】
以上のフローは図９にて説明したフローと略同一である。しかし、所定の監視時間内にＰＩ信号がＨレベルになっていないとき（２４６のＮ）と、所定の監視時間内にＰＩ信号がＬレベルになっていないとき（２５１のＮ）にエラー処理Ｄを行い、露光時間が正常でないときに（２５３のＮ）エラー処理Ｆを行う点が相違する。
【０１０３】
フローが露光時間が正常（２５３のＹ）まで来ると、２回目のシャッタ開閉においてはシャッタが正常であったので、エラーフラグをリセットし（２５４）、表示部１２への警告表示を解除し（２５５）、前述と同様にフィルム巻き上げ（２５６）、磁気書き込み（２５７）を行って終了する。
【０１０４】
次に、エラー処理Ｄについて、図１６に基づいて説明する。
【０１０５】
エラー処理Ｄはシャッタ羽根の開放若しくは閉鎖時の作動不良に関するものであり、通常の撮影動作を禁止して以下の処理を行う。先ず、シャッタ羽根が開放状態のままで自動や手動の巻き戻しが行われると、露光済みの駒が二重露光となってしまうので、制御回路２１は巻き戻し信号の受付を禁止する（１６１）。続いて、ストロボの発光部５を収納し（１６２）、撮影レンズＬを保持する鏡胴３を本体内に収納して（１６３）、バリヤ２を閉鎖して（１６４）終了する。
【０１０６】
また、上記のエラー処理Ｄに代えて、図１７に示すエラー処理Ｅを行ってもよい。巻き戻し信号の受付の禁止（１７１）、ストロボの発光部５の収納（１７２）、撮影レンズＬを保持する鏡胴３の本体内への収納（１７３）、バリヤ２の閉鎖（１７４）まではエラー処理Ｄと同一である。しかし、シャッタ羽根が開放状態のままであっても、バリヤ２が閉鎖されている状態で外光に対して光密状態に構成されているならば、そのままフィルム巻き戻しをしても二重露光にならない。従って、バリヤ２を閉鎖した（１７４）後、巻き戻し信号の受付の禁止を解除し（１７５）、フィルム巻き戻しを行う（１７６）。
【０１０７】
次に、エラー処理Ｆについて、図１８に基づいて説明する。
【０１０８】
エラー処理Ｆは露光時間の不良に関するものであり、通常の撮影動作を禁止して以下の処理を行う。即ち、ストロボの発光部５を収納し（１８１）、撮影レンズＬを保持する鏡胴３を本体内に収納して（１８２）、バリヤ２を閉鎖する（１８３）。なお、この場合はシャッタ羽根が開放状態のままで停止していることはないので、更にフィルム巻き戻しを行って（１８４）終了する。
【０１１４】
【発明の効果】
請求項１に記載のカメラによれば、撮影者がシャッタの異常を認識できる所定時間をおいた後にレンズ鏡胴を収納位置に移動するようにしたので、操作者に不安を与えることなくシャッタの異常後の処理を行うことができる。
【０１１５】
請求項２に記載のカメラによれば、撮影者がシャッタの異常を認識できる所定時間をおいた後にストロボ発光部を収納位置に移動するようにしたので、操作者に不安を与えることなくシャッタの異常後の処理を行うことができる。
【０１１６】
請求項３に記載のカメラによれば、撮影者がシャッタの異常を認識できる所定時間をおいた後にレンズバリヤを閉鎖位置に移動するようにしたので、操作者に不安を与えることなくシャッタの異常後の処理を行うことができる。また、シャッタが開放したた状態での故障においてフィルムの取出しを行う為に、巻き戻し動作を行っても、露光済みフィルムのカブリを防止することができる。
【図面の簡単な説明】
【図１】カメラの上面図である。
【図２】カメラの正面図である。
【図３】カメラの右側面図である。
【図４】ストロボ発光部が突出した状態のカメラの正面図である。
【図５】ストロボ発光部が突出した状態のカメラの右側面図である。
【図６】カメラの回路構成のブロック図である。
【図７】撮影準備からレリーズ釦の第１段のスイッチの押圧までのフローチャートである。
【図８】シャッタの正面図である。
【図９】レリーズ釦の第２段のスイッチの押圧以降を示すフローチャートである。
【図１０】フィルムと磁気ヘッドの図である。
【図１１】エラー処理Ａのフローチャートである。
【図１２】放電回路を有するストロボの回路図である。
【図１３】エラー処理Ｂのフローチャートである。
【図１４】レリーズ釦の第２段のスイッチの押圧以降を示すフローチャートである。
【図１５】エラー処理Ｃのフローチャートである。
【図１６】エラー処理Ｄのフローチャートである。
【図１７】エラー処理Ｅのフローチャートである。
【図１８】エラー処理Ｆのフローチャートである。
【符号の説明】
Ｌ  撮影レンズ
Ｃ  メインコンデンサ
１  メインスイッチ釦
２  バリヤ
３  鏡胴
５  発光部
１１  レリーズ釦
１２  表示板
２１  制御回路
２４  露光時間演算回路
２６  監視タイマ
３４  フィルム駆動モータ
３６  バリヤ駆動モータ
３８  鏡胴駆動モータ
４０  発光部駆動モータ
４２  シャッタ駆動モータ
４３  フォトインタラプタ
５１，５２  シャッタ羽根
【図１】
0003876548.tif 000002
【図２】
0003876548.tif 000003
【図３】
0003876548.tif 000004
【図４】
0003876548.tif 000005
【図５】
0003876548.tif 000006
【図６】
0003876548.tif 000007
【図７】
0003876548.tif 000008
【図８】
0003876548.tif 000009
【図９】
0003876548.tif 000010
【図１０】
0003876548.tif 000011
【図１１】
0003876548.tif 000012
【図１２】
0003876548.tif 000013
【図１３】
0003876548.tif 000014
【図１４】
0003876548.tif 000015
【図１５】
0003876548.tif 000016
【図１６】
0003876548.tif 000017
【図１７】
0003876548.tif 000018
【図１８】
0003876548.tif 000019